(57)【要約】【課題】ドラムカートリッジおよび現像カートリッジが装置本体に装着されている状態で、現像カートリッジを確実に選択して、取り外すことができる画像形成装置を提供する。【解決手段】  画像形成装置１は、装置本体２と、ドラムカートリッジ３と、現像カートリッジ４と、ハンドルカバー３１とを備える。ハンドルカバー３１は、ドラムカートリッジ３と現像カートリッジ４とが装置本体２に装着された状態で、ドラムカートリッジ３の第１ハンドル１６を覆う。【選択図】図１
2019023707.tif 000002
【特許請求の範囲】
【請求項１】
開口を有し、前記開口を開放する開位置と前記開口を閉鎖する閉位置との間を移動可能なカバーを備える装置本体と、
感光ドラムを備え、前記装置本体に対して装着可能なドラムカートリッジと、
現像ローラを備え、前記ドラムカートリッジとは独立して前記装置本体に対して装着可能な現像カートリッジと、
ハンドルカバーと、を備え、
前記装置本体は、
前記装置本体に対する前記ドラムカートリッジの装着をガイドするためのドラムガイドであって、前記ドラムカートリッジの装着方向に延びるドラムガイドであり、前記ドラムカートリッジの装着方向において、第１上流端と、第１下流端とを有するドラムガイドと、
前記装置本体に対する前記現像カートリッジの装着をガイドするための現像ガイドであって、前記現像カートリッジの装着方向に延びる現像ガイドであり、前記現像カートリッジの装着方向において、第２上流端と、第２下流端であって、前記第１下流端よりも前記開口から離れて位置する第２下流端とを有する現像ガイドと、を有し、
前記ドラムカートリッジは、前記装置本体に装着された状態で前記装置本体内に位置する第１ハンドルを有し、
前記現像カートリッジは、前記装置本体に装着された状態で前記装置本体内に位置する第２ハンドルを有し、
前記ハンドルカバーは、前記ドラムカートリッジと前記現像カートリッジとが前記装置本体に装着された状態で、前記開口と前記第１ハンドルとの間に位置し、前記第１ハンドルを覆うことを特徴とする、画像形成装置。
【請求項２】
前記ハンドルカバーは、前記第１ハンドルを覆った状態で、前記第１ハンドルに対して間隔を隔てることを特徴とする、請求項１に記載の画像形成装置。
【請求項３】
前記ハンドルカバーは、前記現像カートリッジに設けられることを特徴とする、請求項１または請求項２に記載の画像形成装置。
【請求項４】
前記ハンドルカバーは、前記現像ローラを覆う第１位置と、前記現像ローラを露出する第２位置との間を、前記現像ローラに対して移動可能であり、
前記ハンドルカバーは、
前記現像カートリッジが前記装置本体から離脱された状態で、前記第１位置に位置し、
前記現像カートリッジが前記装置本体に装着された状態で、前記第２位置に位置し、かつ、前記第１ハンドルを覆うことを特徴とする、請求項３に記載の画像形成装置。
【請求項５】
前記装置本体は、前記現像カートリッジが前記装置本体に装着されるときに、前記ハンドルカバーを前記第１位置から前記第２位置に向かって移動させるためのハンドルガイドを、さらに有し、
前記ハンドルガイドは、前記ドラムカートリッジが前記装置本体に装着された状態で、前記ドラムカートリッジと前記開口との間に位置し、
前記ハンドルガイドは、
前記ドラムカートリッジが前記装置本体に装着された状態で、前記ドラムカートリッジに近づくにつれて前記現像ガイドから離れる方向へ延びる第１部分と、
前記第１部分に連続する第２部分であって、前記現像ガイドに近づく方向へ延びる第２部分と、
を有することを特徴とする、請求項４に記載の画像形成装置。
【請求項６】
前記感光ドラムを露光するための露光装置をさらに備え、
前記現像カートリッジは、前記現像ローラを支持する現像フレームと、前記現像フレームと前記ハンドルカバーとに連結される第１アームと、前記感光ドラムの回転軸線が延びる軸線方向において前記第１アームに対して間隔を隔てて位置する第２アームであって、前記現像フレームと前記ハンドルカバーとに連結される第２アームと、を有し、
前記ハンドルカバーは、前記第２位置に位置する状態で、前記現像フレームに対して間隔を隔てて位置し、
前記露光装置は、前記第１アームと前記第２アームとの間、かつ、前記ハンドルカバーと前記現像フレームとの間を通って前記感光ドラムに入射する光を、出射する出射口を有することを特徴とする、請求項４または請求項５に記載の画像形成装置。
【請求項７】
前記ハンドルカバーは、前記装置本体に設けられることを特徴とする、請求項１または請求項２に記載の画像形成装置。
【請求項８】
前記装置本体は、前記ハンドルカバーを支持するアームであって、前記装置本体に対して回転可能なアームを、さらに備え、
前記ハンドルカバーは、前記ドラムカートリッジが前記装置本体に装着されている状態で、前記現像カートリッジが前記装置本体に装着されるときに、前記現像カートリッジが前記アームに接触することにより、前記第１ハンドルを露出する第１位置から、前記第１ハンドルを覆う第２位置に移動するように構成されることを特徴とする、請求項７に記載の画像形成装置。
【請求項９】
前記ハンドルカバーは、前記ドラムカートリッジに設けられることを特徴とする、請求項１または請求項２に記載の画像形成装置。
【請求項１０】
前記ハンドルカバーは、
前記ドラムカートリッジが前記装置本体から離脱された状態で、前記感光ドラムを覆う第１位置に位置し、
前記ドラムカートリッジが前記装置本体に装着され、かつ、前記現像カートリッジが前記装置本体から離脱された状態で、記感光ドラムを露出し、かつ、前記第１ハンドルを露出する第２位置に位置し、
前記ドラムカートリッジと前記現像カートリッジとが前記装置本体に装着された状態で、前記感光ドラムを露出し、かつ、前記第１ハンドルを覆う第３位置に位置することを特徴とする、請求項９に記載の画像形成装置。
【請求項１１】
前記装置本体は、前記装置本体に対して回転可能なアームであって、前記ドラムカートリッジが前記装置本体に装着されている状態で、前記現像カートリッジが前記装置本体に装着されるときに、前記現像カートリッジと接触することにより回転して、前記ハンドルカバーを前記第２位置から前記第３位置へ移動させるように構成されるアームを、さらに備えることを特徴とする、請求項１０に記載の画像形成装置。
【請求項１２】
前記ドラムカートリッジは、前記ドラムカートリッジに対して回転可能なアームであって、前記ドラムカートリッジが前記装置本体に装着されている状態で、前記現像カートリッジが前記装置本体に装着されるときに、前記現像カートリッジと接触することにより回転して、前記ハンドルカバーを前記第２位置から前記第３位置へ移動させるように構成されるアームを、さらに備えることを特徴とする、請求項１０に記載の画像形成装置。
【発明の詳細な説明】
【技術分野】
【０００１】
本発明は、画像形成装置に関する。
【背景技術】
【０００２】
従来、装置本体と、ドラムカートリッジと、現像カートリッジとを備える画像形成装置が知られている（下記特許文献１参照）。
【０００３】
装置本体は、開口を有する。ドラムカートリッジは、開口を介して、装置本体に装着可能である。ドラムカートリッジは、感光ドラムを有する。現像カートリッジは、開口を介して、ドラムカートリッジとは独立して装置本体に装着可能である。現像カートリッジは、現像ローラを有する。
【先行技術文献】
【特許文献】
【０００４】
【特許文献１】特開２０１７−５８５１７号公報
【発明の概要】
【発明が解決しようとする課題】
【０００５】
しかし、上記特許文献１に記載される画像形成装置では、ドラムカートリッジおよび現像カートリッジが装置本体に装着されている状態で、ユーザーは、開口を介して、ドラムカートリッジおよび現像カートリッジの両方を見ることができる。
【０００６】
そのため、ユーザーが、交換頻度の高い現像カートリッジを優先的に取り外したい場合に、誤って、ドラムカートリッジを装置本体から取り外そうとしてしまう場合がある。
【０００７】
そこで、本開示の目的は、ドラムカートリッジおよび現像カートリッジが装置本体に装着されている状態で、現像カートリッジを確実に選択して、取り外すことができる画像形成装置を提供することにある。
【課題を解決するための手段】
【０００８】
本発明の画像形成装置は、装置本体と、ドラムカートリッジと、現像カートリッジと、ハンドルカバーとを備える。装置本体は、開口を有し、カバーを備える。カバーは、開口を開放する開位置と開口を閉鎖する閉位置との間を移動可能である。ドラムカートリッジは、感光ドラムを備える。ドラムカートリッジは、装置本体に対して装着可能である。現像カートリッジは、現像ローラを備える。現像カートリッジは、ドラムカートリッジとは独立して装置本体に対して装着可能である。
【０００９】
また、装置本体は、ドラムガイドと、現像ガイドとを有する。ドラムガイドは、装置本体に対するドラムカートリッジの装着をガイドする。ドラムガイドは、ドラムカートリッジの装着方向に延びる。ドラムガイドは、ドラムカートリッジの装着方向において、第１上流端と、第１下流端とを有する。現像ガイドは、装置本体に対する現像カートリッジの装着をガイドする。現像ガイドは、現像カートリッジの装着方向に延びる。現像ガイドは、現像カートリッジの装着方向において、第２上流端と、第２下流端とを有する。第２下流端は、第１下流端よりも開口から離れて位置する。
【００１０】
ドラムカートリッジは、第１ハンドルを有する。第１ハンドルは、装置本体に装着された状態で装置本体内に位置する。
【００１１】
現像カートリッジは、第２ハンドルを有する。第２ハンドルは、装置本体に装着された状態で装置本体内に位置する。
【００１２】
ハンドルカバーは、ドラムカートリッジと現像カートリッジとが装置本体に装着された状態で、開口と第１ハンドルとの間に位置し、第１ハンドルを覆う。
【００１３】
このような構成によれば、ドラムカートリッジの第１ハンドルは、ドラムカートリッジと現像カートリッジとが装置本体に装着された状態で、ハンドルカバーによって覆われる。
【００１４】
そのため、ユーザーは、開口を介して装置本体内を見たときに、ドラムカートリッジの第１ハンドルを見ることができない。
【００１５】
これにより、ドラムカートリッジと現像カートリッジとが装置本体に装着された状態で、ユーザーの注意を、ドラムカートリッジの第１ハンドルではなく、現像カートリッジの第２ハンドルに誘導することができる。
【００１６】
その結果、ドラムカートリッジおよび現像カートリッジが装置本体に装着されている状態で、現像カートリッジを確実に選択して、取り外すことができる。
【発明の効果】
【００１７】
本発明の画像形成装置によれば、ドラムカートリッジおよび現像カートリッジが装置本体に装着されている状態で、現像カートリッジを確実に選択して、取り外すことができる。
【図面の簡単な説明】
【００１８】
【図１】図１は、第１実施形態の画像形成装置の概略構成図である。
【図２】図２Ａは、図１に示す現像カートリッジの断面図であって、ハンドルカバーが第１位置に位置した状態を示す。図２Ｂは、図１に示す現像カートリッジの断面図であって、ハンドルカバーが第２位置に位置した状態を示す。
【図３】図３は、図２Ｂに示す現像カートリッジの正面図である。
【図４】図４は、図１に示す装置本体を示す。
【図５】図５は、現像カートリッジの装着動作を説明する説明図であって、ハンドルカバーが第１位置に位置した状態を示す。
【図６】図６は、図５に続いて、現像カートリッジの装着動作を説明する説明図であって、ハンドルカバーが第１位置から第２位置へ移動する途中を示す。
【図７】図７は、第１実施形態の変形例を説明する説明図であって、第１ボスが第１アームの近傍に位置する変形例を示す。
【図８】図８は、第１実施形態の変形例を説明する説明図であって、図７に示す変形例とは異なる変形例を示し、第１ボスが第１アームから離れて位置する変形例を示す。
【図９】図９は、図７に示す変形例のハンドルガイドを説明する説明図である。
【図１０】図１０は、図８に示す変形例のハンドルガイドを説明する説明図である。
【図１１】図１１は、第２実施形態の画像形成装置を説明する説明図であって、現像カートリッジが装置本体から離脱されており、ハンドルカバーが、第１ハンドルを露出する状態を示す。
【図１２】図１２は、図１１とともに第２実施形態の画像形成装置を説明する説明図であって、現像カートリッジが装置本体に装着され、ハンドルカバーが、第１ハンドルを覆う状態を示す。
【図１３】図１３は、第３実施形態のドラムカートリッジを示す断面図である。ハンドルカバーは、第１位置に位置する。
【図１４】図１４は、第３実施形態の画像形成装置を説明する説明図であって、現像カートリッジが装置本体から離脱されており、ハンドルカバーが、第２位置に位置する状態を示す。
【図１５】図１５は、図１４とともに第３実施形態の画像形成装置を説明する説明図であって、現像カートリッジが装置本体に装着され、ハンドルカバーが、第３位置に位置する状態を示す。
【図１６】図１６は、第３実施形態の変形例のドラムカートリッジを示す断面図である。ハンドルカバーは、第１位置に位置する。
【図１７】図１７は、第３実施形態の変形例の画像形成装置を説明する説明図であって、現像カートリッジが装置本体から離脱されており、ハンドルカバーが、第２位置に位置する状態を示す。
【図１８】図１８は、図１７とともに第３実施形態の変形例の画像形成装置を説明する説明図であって、現像カートリッジが装置本体に装着され、ハンドルカバーが、第３位置に位置する状態を示す。
【発明を実施するための形態】
【００１９】
１．画像形成装置１の概略
画像形成装置１の概略について説明する。
【００２０】
図１に示すように、画像形成装置１は、装置本体２と、ドラムカートリッジ３と、現像カートリッジ４とを備える。
【００２１】
１．１  装置本体２
装置本体２は、ドラムカートリッジ３および現像カートリッジ４を装置本体２に装着するための開口２Ａを有する。開口２Ａは、ドラムカートリッジ３が装置本体２に装着されるとき、および、現像カートリッジ４が装置本体２に装着されるときに、共通して使用される。装置本体２は、本体ケーシング１１と、カバー５と、露光装置６と、転写ローラ７と、定着器８と、給紙部９と、給紙トレイ１０とを備える。
【００２２】
本体ケーシング１１は、装置本体２の外装を構成する。本体ケーシング１１は、露光装置６、転写ローラ７、定着器８、給紙部９、給紙トレイ１０を収容する。また、本体ケーシング１１は、ドラムカートリッジ３および現像カートリッジ４が装置本体２に装着された状態で、ドラムカートリッジ３および現像カートリッジ４を収容する。本体ケーシング１１は、ボックス形状を有する。
【００２３】
カバー５は、開口２Ａを開放する開位置（図４参照）と、開口２Ａを閉鎖する閉位置（図１参照）との間を移動可能である。
【００２４】
露光装置６は、感光ドラム１２を露光する。感光ドラム１２については、後述する。詳しくは、露光装置６は、感光ドラム１２の周面を露光するように構成される。露光装置６は、光Ｌを出射するように構成される。詳しくは、露光装置６は、レーザースキャンユニットである。露光装置６は、光Ｌを出射するための出射口６Ａを有する。出射口６Ａから出射された光Ｌは、ハンドルカバー３１と現像フレーム１７との間を通って感光ドラム１２の周面に入射する。ハンドルカバー３１および現像フレーム１７については、後述する。
【００２５】
転写ローラ７は、感光ドラム１２の周面に形成されたトナー像を用紙に転写するように構成される。転写ローラ７は、ドラムカートリッジ３が装置本体２に装着されたときに、感光ドラム１２の周面と接触する。
【００２６】
定着器８は、トナー像が転写された用紙を加熱および加圧して、用紙にトナー像を定着させるように構成される。定着器８を通過した用紙は、カバー５の上に排紙される。
【００２７】
給紙部９は、給紙トレイ１０内の用紙を、感光ドラム１２と転写ローラ７との間に供給するように構成される。
【００２８】
給紙トレイ１０は、用紙を収容するように構成される。
【００２９】
１．２  ドラムカートリッジ３
ドラムカートリッジ３は、開口２Ａを介して装置本体２に対して装着可能である。ドラムカートリッジ３は、感光ドラム１２と、帯電ローラ１３と、ドラムフレーム１５と、第１ハンドル１６とを備える。
【００３０】
感光ドラム１２は、軸線方向に延びる回転軸線Ａについて回転可能である。感光ドラム１２は、回転軸線Ａに沿って延びるドラムシャフト１２Ａを備える。
【００３１】
帯電ローラ１３は、感光ドラム１２の周面を帯電するように構成される。帯電ローラ１３は、感光ドラム１２の周面と接触する。
【００３２】
ドラムフレーム１５は、感光ドラム１２および帯電ローラ１３を支持する。ドラムフレーム１５は、軸線方向に延びる。
【００３３】
第１ハンドル１６は、ドラムカートリッジ３が装置本体２に装着されるとき、または、ドラムカートリッジ３が装置本体２から離脱されるときに、ユーザーによって掴まれる。第１ハンドル１６は、ドラムカートリッジ３が装置本体２に装着された状態で、装置本体２内に位置する。第１ハンドル１６は、ドラムフレーム１５から延びる。
【００３４】
１．３  現像カートリッジ４
現像カートリッジ４は、開口２Ａを介して装置本体２に対して装着可能である。現像カートリッジ４は、ドラムカートリッジ３とは独立して装置本体２に対して装着可能である。現像カートリッジ４は、現像ローラ１４と、現像フレーム１７と、第２ハンドル１８とを備える。
【００３５】
現像ローラ１４は、感光ドラム１２にトナーを供給するように構成される。現像ローラ１４は、ドラムカートリッジ３と現像カートリッジ４とが装置本体２に装着されたときに、感光ドラム１２の周面と接触する。現像ローラ１４は、軸線方向に延びるシャフト１４Ａを備える。
【００３６】
現像フレーム１７は、トナーを収容する。また、現像フレーム１７は、現像ローラ１４を支持する。現像フレーム１７は、軸線方向に延びる。現像フレーム１７は、軸線方向において、一端１７Ａ（図３参照）と、他端１７Ｂ（図３参照）とを有する。現像フレーム１７は、筒形状を有する。
【００３７】
第２ハンドル１８は、現像カートリッジ４が装置本体２に装着されるとき、または、現像カートリッジ４が装置本体２から離脱されるときに、ユーザーによって掴まれる。第２ハンドル１８は、現像カートリッジ４が装置本体２に装着された状態で、装置本体２内に位置する。第２ハンドル１８は、現像フレーム１７から延びる。
【００３８】
２．画像形成装置１の詳細
図１から図６を参照して、画像形成装置１の詳細について説明する。
【００３９】
図１に示すように、画像形成装置１は、ハンドルカバー３１を備える。
【００４０】
ハンドルカバー３１は、ドラムカートリッジ３と現像カートリッジ４とが装置本体２に装着された状態で、開口２Ａと第１ハンドル１６との間に位置する。言い換えると、ハンドルカバー３１は、ドラムカートリッジ３と現像カートリッジ４とが装置本体２に装着された状態で、第１ハンドル１６と閉位置に位置するカバー５との間に位置する。「ハンドルカバー３１は、第１ハンドル１６と、閉位置に位置するカバー５との間に位置する」とは、図１に示すような、画像形成装置１の中央断面図であって、軸線方向から見た断面図において、第１ハンドル１６と、閉位置に位置するカバー５とを結ぶ直線のいずれかを、ハンドルカバー３１が横切るという意味である。ハンドルカバー３１は、第１ハンドル１６を覆う。詳しくは、ハンドルカバー３１は、第１ハンドル１６の全部を覆う。「ハンドルカバー３１が第１ハンドル１６の全部を覆う」とは、ドラムカートリッジ３と現像カートリッジ４とが装置本体２に装着された状態で、ユーザーが開口２Ａを介して装置本体２内を見たときに、ユーザーが第１ハンドル１６を見ることができないように、ハンドルカバー３１が第１ハンドル１６の全部を覆うことを意味する。
【００４１】
第１実施形態では、ハンドルカバー３１は、現像カートリッジ４に設けられる。以下、現像カートリッジ４および装置本体２の詳細について、説明する。
【００４２】
２．１  現像カートリッジ４の詳細
図２Ａおよび図３に示すように、現像カートリッジ４は、ハンドルカバー３１と、第１ボス３４と、第２ボス３５（図３参照）と、第１アーム３２と、第２アーム３３（図３参照）とを備える。
【００４３】
２．１．１  ハンドルカバー３１
図１に示すように、ハンドルカバー３１は、現像カートリッジ４が装置本体２に装着された状態で、第１ハンドル１６を覆う。ハンドルカバー３１は、第１ハンドル１６を覆った状態で、第１ハンドル１６に対して間隔を隔てる。また、図２Ａに示すように、ハンドルカバー３１は、現像カートリッジ４が装置本体２から離脱された状態で、現像ローラ１４を覆う。詳しくは、図２Ａおよび図２Ｂに示すように、ハンドルカバー３１は、現像ローラ１４を覆う第１位置（図２Ａ参照）と、現像ローラ１４を露出する第２位置（図２Ｂ参照）との間を、現像ローラ１４に対して移動可能である。ハンドルカバー３１は、現像カートリッジ４が装置本体２から離脱された状態で、現像ローラ１４に対して、第１位置に位置する。ハンドルカバー３１は、現像カートリッジ４が装置本体２（図１参照）に装着された状態で、現像ローラ１４に対して、第２位置に位置する。ハンドルカバー３１は、第２位置に位置する状態で、現像フレーム１７に接触しないように、現像フレーム１７に対して間隔を隔てて位置する。すなわち、ハンドルカバー３１は、第１ハンドル１６（図１参照）を覆った状態で、現像フレーム１７に対して間隔を隔てて位置する。これにより、ハンドルカバー３１と現像フレーム１７との間隔に、露光装置６から出射された光Ｌ（図１参照）を通過させることができる。ハンドルカバー３１は、第１位置に位置する状態で、現像ローラ１４の周面に沿って延びる。また、図３に示すように、ハンドルカバー３１は、軸線方向に延びる。ハンドルカバー３１は、軸線方向において、一端３１Ａと他端３１Ｂとを有する。
【００４４】
２．１．２  第１ボス３４および第２ボス３５
第１ボス３４は、ハンドルカバー３１の一端３１Ａに位置する。第１ボス３４は、軸線方向に延びる。第１ボス３４は、円柱形状を有する。第１ボス３４は、装置本体２のハンドルガイド２３（図４参照）に嵌まる。ハンドルガイド２３については、後述する。
【００４５】
第２ボス３５は、ハンドルカバー３１の他端３１Ｂに位置する。第２ボス３５は、軸線方向に延びる。第２ボス３５は、円柱形状を有する。第２ボス３５は、装置本体２の第２ハンドルガイドに嵌まる。第２ハンドルガイドについては、後述する。
【００４６】
２．１．３  第１アーム３２および第２アーム３３
第１アーム３２は、現像フレーム１７とハンドルカバー３１とに連結される。詳しくは、第１アーム３２は、軸線方向と交差する方向に延びる。好ましくは、第１アーム３２は、軸線方向と直交する方向に延びる。第１アーム３２の一端は、ハンドルカバー３１の一端３１Ａに連結される。また、第１アーム３２の他端は、現像フレーム１７の一端１７Ａに回転可能に連結される。
【００４７】
第２アーム３３は、軸線方向において、第１アーム３２に対して間隔を隔てて位置する。これにより、露光装置６から出射される光Ｌ（図１参照）は、軸線方向において、第１アーム３２と第２アーム３３との間を通る。第２アーム３３は、現像フレーム１７とハンドルカバー３１とに連結される。詳しくは、第２アーム３３は、軸線方向と交差する方向に延びる。言い換えると、第２アーム３３は、第１アーム３２が延びる方向と同じ方向に延びる。好ましくは、第２アーム３３は、軸線方向と直交する方向に延びる。第２アーム３３の一端は、ハンドルカバー３１の他端３１Ｂに連結される。また、第２アーム３３の他端は、現像フレーム１７の他端１７Ｂに回転可能に連結される。
【００４８】
２．２  装置本体２の詳細
図４に示すように、装置本体２は、ドラムガイド２１と、第２ドラムガイドと、現像ガイド２２と、第２現像ガイドと、ハンドルガイド２３と、第２ハンドルガイドとを有する。第２ドラムガイド、第２現像ガイドおよび第２ハンドルガイドについては、図示しない。
【００４９】
２．２．１  ドラムガイド２１
ドラムガイド２１は、装置本体２に対するドラムカートリッジ３（図１参照）の装着をガイドする。詳しくは、ドラムガイド２１は、ドラムカートリッジ３が装置本体２に装着されるときに、ドラムカートリッジ３を、感光ドラム１２（図１参照）が転写ローラ７に接触する位置まで、ガイドする。ドラムガイド２１には、ドラムシャフト１２Ａ（図１参照）が嵌まる。ドラムガイド２１には、ドラムシャフト１２Ａの軸線方向一端が嵌まる。ドラムガイド２１は、軸線方向において、装置本体２の内面に位置する。ドラムガイド２１は、ドラムカートリッジ３の装着方向に延びる。ドラムガイド２１は、ドラムカートリッジ３の装着方向において、第１上流端Ｅ１と、第１下流端Ｅ２とを有する。第１上流端Ｅ１は、カバー５が閉位置に位置する状態で、ドラムカートリッジ３の装着方向において、カバー５と第１下流端Ｅ２との間に位置する。第１下流端Ｅ２は、水平方向において、転写ローラ７と露光装置６との間に位置する。
【００５０】
２．２．２  第２ドラムガイド
第２ドラムガイドは、ドラムガイド２１とともに、装置本体２に対するドラムカートリッジ３の装着をガイドする。第２ドラムガイドは、ドラムカートリッジ３が装置本体２に装着された状態で、軸線方向において、ドラムカートリッジ３に対して、ドラムガイド２１の反対側に位置する。第２ドラムガイドには、ドラムシャフト１２Ａの軸線方向他端が嵌まる。第２ドラムガイドは、ドラムガイド２１と同じ形状を有する。
【００５１】
２．２．３  現像ガイド２２
現像ガイド２２は、装置本体２に対する現像カートリッジ４（図１参照）の装着をガイドする。現像ガイド２２は、現像カートリッジ４が装置本体２に装着されるときに、現像カートリッジ４を、現像ローラ１４（図１参照）が感光ドラム１２に接触する位置まで、ガイドする。現像ガイド２２には、現像ローラ１４のシャフト１４Ａ（図３参照）が嵌まる。現像ガイド２２には、現像ローラ１４のシャフト１４Ａの軸線方向一端が嵌まる。現像ガイド２２は、ドラムガイド２１と露光装置６との間に位置する。現像ガイド２２は、軸線方向において、装置本体２の内面に位置する。現像ガイド２２は、現像カートリッジ４の装着方向に延びる。現像ガイド２２は、現像カートリッジ４の装着方向において、第２上流端Ｅ１１と、第２下流端Ｅ１２とを有する。第２上流端Ｅ１１は、カバー５が閉位置に位置する状態で、現像カートリッジ４の装着方向において、カバー５と第２下流端Ｅ１２との間に位置する。第２下流端Ｅ１２は、第１下流端Ｅ２よりも開口２Ａから離れて位置する。第２下流端Ｅ１２は、第１下流端Ｅ２よりも、閉位置に位置するカバー５から離れて位置する。詳しくは、閉位置に位置するカバー５と第２下流端Ｅ１２との上下方向距離は、閉位置に位置するカバー５と第１下流端Ｅ２との上下方向距離よりも、長い。すなわち、第２下流端Ｅ１２は、ドラムガイド２１の第１下流端Ｅ２よりも下方に位置する。これにより、図１に示すように、現像カートリッジ４は、ドラムカートリッジ３と現像カートリッジ４とが装置本体２に装着された状態で、ドラムカートリッジ３の第１ハンドル１６よりも下方に位置する。言い換えると、現像カートリッジ４は、ドラムカートリッジ３と現像カートリッジ４とが装置本体２に装着された状態で、第１ハンドル１６よりも、閉位置に位置するカバー５から遠くに位置する。
【００５２】
そのため、ハンドルカバー３１が無い場合、ドラムカートリッジ３と現像カートリッジ４とが装置本体２に装着された状態で、ユーザーが開口２Ａを介して装置本体２内を見ると、ユーザーは、ドラムカートリッジ３の第１ハンドル１６と、現像カートリッジ４の第２ハンドル１８との両方を見ることができる。そのため、ハンドルカバー３１が無い場合、ユーザーが現像カートリッジ４を優先的に取り外したい場合に、誤って、ドラムカートリッジ３を装置本体２から取り外そうとしてしまう場合がある。
【００５３】
２．２．４  第２現像ガイド
第２現像ガイドは、現像ガイド２２とともに、装置本体２に対する現像カートリッジ４の装着をガイドする。第２現像ガイドは、現像カートリッジ４が装置本体２に装着された状態で、軸線方向において、現像カートリッジ４に対して、現像ガイド２２の反対側に位置する。第２現像ガイドには、現像ローラ１４のシャフト１４Ａの軸線方向他端が嵌まる。第２現像ガイドは、現像ガイド２２と同じ形状を有する。
【００５４】
２．２．５  ハンドルガイド２３
図４に示すように、ハンドルガイド２３は、現像カートリッジ４が装置本体２に装着されるときに、ハンドルカバー３１を、第１位置（図５参照）から第２位置（図１参照）に向かって移動させる。ハンドルガイド２３には、第１ボス３４（図３参照）が嵌まる。ハンドルガイド２３は、現像カートリッジ４が装置本体２に装着されるときに、第１ボス３４をガイドすることにより、ハンドルカバー３１を第１位置から第２位置に向かって移動させる。図１に示すように、ハンドルガイド２３は、ドラムカートリッジ３が装置本体２に装着された状態で、ドラムカートリッジ３と開口２Ａとの間に位置する。ハンドルガイド２３は、ドラムカートリッジ３が装置本体２に装着された状態で、ドラムカートリッジ３と、閉位置に位置するカバー５との間に位置する。ハンドルガイド２３は、第１部分２３Ａと、第２部分２３Ｂとを有する。
【００５５】
第１部分２３Ａは、ドラムカートリッジ３が装置本体２に装着された状態で、ドラムカートリッジ３に近づくにつれて現像ガイド２２から離れる方向へ延びる。これにより、図５および図６に示すように、現像カートリッジ４が装置本体２に装着されるときに、ハンドルカバー３１は、ドラムカートリッジ３に近づくにつれて、現像ローラ１４に対して、現像ローラ１４から離れる方向へ向かって移動する。すなわち、ハンドルカバー３１は、現像カートリッジ４が装置本体２に装着されるときに、第１部分２３Ａによってガイドされることにより、第１位置から第２位置に向かって移動する。
【００５６】
第２部分２３Ｂは、図１に示すように、閉位置に位置するカバー５と、ドラムカートリッジ３の第１ハンドル１６との間に位置する。また、第２部分２３Ｂは、第１部分２３Ａと、ドラムカートリッジ３の第１ハンドル１６との間に位置する。第２部分２３Ｂは、第１部分２３Ａに連続する。ここで、第１部分２３Ａと第２部分２３Ｂとは、第１ボス３４を受け渡し可能な程度に、実質的に連続していればよい。詳しくは、第１部分２３Ａと第２部分２３Ｂとは、第１ボス３４を受け渡し可能な程度の間隔を隔てて、離れていてもよい。第１ボス３４を受け渡し可能な程度の間隔とは、具体的には、第１ボス３４の直径よりも短い間隔である。第１部分２３Ａと第２部分２３Ｂとが間隔を隔てて離れていても、第１部分２３Ａと第２部分２３Ｂとの間隔が第１ボス３４の直径よりも短ければ、第１ボス３４は、第１部分２３Ａと第２部分２３Ｂとの間に嵌まることなく、第１部分２３Ａから第２部分２３Ｂへ受け渡される。好ましくは、第１部分２３Ａと第２部分２３Ｂとは、間隔を隔てずに連続する。これにより、第１ボス３４は、円滑に、第１部分２３Ａから第２部分２３Ｂへ受け渡される。なお、第１部分２３Ａと第２部分２３Ｂとを含む部材は、同じ金型を用いて射出成形されることにより、１つの部品として製造される。また、第２部分２３Ｂは、ドラムガイド２１から現像ガイド２２に近づく方向へ延びる。これにより、現像カートリッジ４が装置本体２に装着されたときに、ハンドルカバー３１は、現像ローラ１４から離れた状態で、閉位置に位置するカバー５と、ドラムカートリッジ３の第１ハンドル１６との間に位置する。すなわち、ハンドルカバー３１は、現像カートリッジ４が装置本体２に装着されるときに、第２部分２３Ｂによってガイドされることにより、第２位置に位置する。
【００５７】
２．２．６  第２ハンドルガイド
第２ハンドルガイドは、現像カートリッジ４が装置本体２に装着されるときに、ハンドルガイド２３とともに、ハンドルカバー３１を、第１位置から第２位置に向かって移動させる。第２ハンドルガイドは、現像カートリッジ４が装置本体２に装着された状態で、軸線方向において、ハンドルカバー３１に対して、ハンドルガイド２３の反対側に位置する。第２ハンドルガイドには、第２ボス３５（図３参照）が嵌まる。第２ハンドルガイドは、ハンドルガイド２３と同じ形状を有する。
【００５８】
３．作用効果
画像形成装置１によれば、図１に示すように、ドラムカートリッジ３の第１ハンドル１６が、ドラムカートリッジ３と現像カートリッジ４とが装置本体２に装着された状態で、ハンドルカバー３１によって覆われる。
【００５９】
そのため、ユーザーは、開口２Ａを介して装置本体２内を見たときに、ドラムカートリッジ３の第１ハンドル１６を見ることができない。
【００６０】
これにより、ドラムカートリッジ３と現像カートリッジ４とが装置本体２に装着された状態で、ユーザーの注意を、ドラムカートリッジ３の第１ハンドル１６ではなく、現像カートリッジ４の第２ハンドル１８に誘導することができる。
【００６１】
その結果、ドラムカートリッジ３および現像カートリッジ４が装置本体２に装着されている状態で、現像カートリッジ４を確実に選択して、取り外すことができる。
【００６２】
４．第１実施形態の変形例
以下、図７から図１０を参照して、第１実施形態の変形例について説明する。図７から図１０において、第１実施形態と同じ部材には同じ符号を付し、その説明を省略する。
【００６３】
上記した第１ボス３４の配置は、特に限定されない。例えば、第１ボス３４は、図７に示すように、第１アーム３２の近傍に配置されていてもよく、図８に示すように、第１アーム３２から離れて位置してもよい。なお、上記した第２ボス３５の配置も、第１ボス３４と同様に、特に限定されない。
【００６４】
また、上記したハンドルガイド２３の形状は、第１ボス３４の配置によって、適宜、変更されてもよい。例えば、第１ボス３４が第１アーム３２の近傍に配置されている場合、図９に示すように、第２部分２３Ｂは、現像ガイド２２と交差してもよい。また、第１ボス３４が第１アーム３２から離れて位置する場合、図１０に示すように、第２部分２３Ｂの端部は、現像ガイド２２内に位置してもよい。
【００６５】
これらの変形例においても、第１実施形態と同様の作用効果を有する。
【００６６】
５．第２実施形態
以下、図１１および図１２を参照して、第２実施形態について説明する。第２実施形態において、第１実施形態と同じ部材には同じ符号を付し、その説明を省略する。
【００６７】
図１１に示すように、第２実施形態では、ハンドルカバー４１は、装置本体２に設けられている。
【００６８】
この場合、装置本体２は、アーム４２を、さらに備える。
【００６９】
アーム４２は、ハンドルカバー４１を支持する。ここで、ハンドルカバー４１は、アーム４２とは別の部品であり、アーム４２に取り付けられてもよい。この場合、アーム４２は、取り付けられたハンドルカバー４１を支持する。また、ハンドルカバー４１とアーム４２とは、射出成形などの方法により、一部品として成形されてもよい。この場合、成形された一部品のうちのアーム４２の部分は、ハンドルカバー４１の部分を支持する。アーム４２は、装置本体２に対して回転可能である。アーム４２は、現像カートリッジ４が装置本体２に装着されるときに、現像カートリッジ４と接触することにより、回転する。詳しくは、アーム４２は、軸線方向において、装置本体２の内面に取り付けられる。アーム４２は、ドラムカートリッジ３が装置本体２に取り付けられた状態で、軸線方向において、ドラムカートリッジ３と、装置本体２の内面との間に位置する。アーム４２は、軸線方向と交差する方向に延びる。好ましくは、アーム４２は、軸線方向と直交する方向に延びる。アーム４２は、アーム４２が延びる方向において、一端４２Ａと他端４２Ｂとを有する。アーム４２の回転軸線４２Ｃは、アーム４２が延びる方向において、一端４２Ａと他端４２Ｂとの間に位置する。
【００７０】
第２実施形態では、ハンドルカバー４１は、アーム４２が回転することにより、第１ハンドル１６を露出する第１位置（図１１参照）と、第１ハンドル１６を覆う第２位置（図１２参照）との間を移動する。ハンドルカバー４１は、現像カートリッジ４が装置本体２から離脱されている状態で、第１位置に位置する。
【００７１】
そして、図１２に示すように、ドラムカートリッジ３が装置本体２に装着されている状態で、現像カートリッジ４が装置本体２に装着されるときに、現像カートリッジ４は、アーム４２の他端４２Ｂに接触する。詳しくは、現像カートリッジ４が装置本体２に装着されるときに、現像ローラ１４のシャフト１４Ａが、アーム４２の他端４２Ｂに接触する。これにより、ハンドルカバー４１は、第１位置から、第２位置に移動する。
【００７２】
なお、第２位置に位置するハンドルカバー４１は、押圧部材４３によって、第１位置に向かって押圧される。これにより、現像カートリッジ４が装置本体２から離脱されるときに、ハンドルカバー４１は、第２位置から第１位置に移動する。押圧部材４３は、具体的には、トーションばねである。
【００７３】
第２実施形態においても、第１実施形態と同様の作用効果を有する。
【００７４】
６．第３実施形態
以下、図１３から図１５を参照して、第３実施形態について説明する。第３実施形態において、第１実施形態と同じ部材には同じ符号を付し、その説明を省略する。
【００７５】
図１３に示すように、第３実施形態では、ハンドルカバー５１は、ドラムカートリッジ３に設けられている。
【００７６】
６．１  ドラムカートリッジ３
第３実施形態のドラムカートリッジ３は、ハンドルカバー５１と、筒５２と、シャフト５３と、引張ばね５４とを備える。
【００７７】
ハンドルカバー５１は、ドラムカートリッジ３が装置本体２から離脱された状態で、感光ドラム１２を覆う。ハンドルカバー５１は、ドラムカートリッジ３が装置本体２から離脱された状態で、感光ドラム１２に対して第１位置にある。また、図１４に示すように、ハンドルカバー５１は、ドラムカートリッジ３が装置本体２に装着され、かつ、現像カートリッジ４が装置本体２から離脱された状態で、感光ドラム１２を露出し、かつ、第１ハンドル１６を露出する。ハンドルカバー５１は、ドラムカートリッジ３が装置本体２に装着され、かつ、現像カートリッジ４が装置本体２から離脱された状態で、感光ドラム１２に対して第２位置にある。また、図１５に示すように、ハンドルカバー５１は、ドラムカートリッジ３と現像カートリッジ４とが装置本体２に装着された状態で、感光ドラム１２を露出し、かつ、第１ハンドル１６を覆う。ハンドルカバー５１は、ドラムカートリッジ３と現像カートリッジ４とが装置本体２に装着された状態で、感光ドラム１２に対して第３位置にある。
【００７８】
詳しくは、図１３に示すように、ハンドルカバー５１は、ボス５５を有する。ボス５５は、ドラムカートリッジ３が装置本体２に装着されるときに、装置本体２のアーム５６（図１４参照）と接触する。アーム５６については、後述する。ハンドルカバー５１は、図１４に示すように、現像カートリッジ４が装置本体２から離脱された状態で、ドラムカートリッジ３が装置本体２に装着されるときに、ボス５５がアーム５６に接触することにより、感光ドラム１２に対して、第１位置から第２位置へ移動する。また、ハンドルカバー５１は、図１５に示すように、ドラムカートリッジ３が装置本体２に装着された状態で、現像カートリッジ４が装置本体２に装着されるときに、ボス５５がアーム５６によって押圧されることにより、感光ドラム１２に対して、第２位置から第３位置へ移動する。
【００７９】
図１３に示すように、筒５２は、シャフト５３および引張ばね５４を収容する。筒５２は、ドラムフレーム１５に取り付けられる。筒５２は、ドラムフレーム１５に対して回転可能である。詳しくは、筒５２は、軸線方向と交差する方向に延びる。好ましくは、筒５２は、軸線方向と直交する方向に延びる。筒５２は、一端と他端とを有する。筒５２の一端は、ドラムフレーム１５に取り付けられる。筒５２の一端は、第１ハンドル１６よりも、感光ドラム１２の近くに位置する。筒５２は、開口５２Ａを有する。開口５２Ａは、筒５２の他端に位置する。
【００８０】
シャフト５３は、ハンドルカバー５１に連結される。シャフト５３は、筒５２内に収容される。シャフト５３は、筒５２が延びる方向に延びる。シャフト５３は、筒５２が延びる方向において、筒５２に対してスライド可能である。シャフト５３は、一端と他端とを有する。シャフト５３の一端は、筒５２内に収容される。シャフト５３の他端は、開口５２Ａを介して筒５２の外に突出し、ハンドルカバー５１に連結される。
【００８１】
引張ばね５４は、筒５２内に取り付けられる。引張ばね５４は、シャフト５３の一端に連結される。引張ばね５４は、シャフト５３が筒５２に対して筒５２から突出する方向にスライドしたときに、変形し、変形することにより生じる弾性力により、シャフト５３を筒５２内に向かって引っ張る。
【００８２】
６．２  装置本体２
図１４および図１５に示すように、第３実施形態の装置本体２は、アーム５６を、さらに備える。
【００８３】
アーム５６は、装置本体２に対して回転可能である。アーム５６は、ドラムカートリッジ３が装置本体２に装着されている状態で、現像カートリッジ４が装置本体２に装着されるときに、現像カートリッジ４と接触することにより回転して、ハンドルカバー５１を第２位置から第３位置へ移動させる。詳しくは、アーム５６は、軸線方向において、装置本体２の内面に取り付けられる。アーム５６は、ドラムカートリッジ３が装置本体２に取り付けられた状態で、軸線方向において、ドラムカートリッジ３と、装置本体２の内面との間に位置する。アーム５６は、軸線方向と交差する方向に延びる。好ましくは、アーム５６は、軸線方向と直交する方向に延びる。アーム５６は、アーム５６が延びる方向において、一端５６Ａと他端５６Ｂとを有する。アーム５６の回転軸線５６Ｃは、アーム５６が延びる方向において、一端５６Ａと他端５６Ｂとの間に位置する。図１４に示すように、アーム５６の一端５６Ａは、現像カートリッジ４が装置本体２から離脱された状態で、ドラムカートリッジ３が装置本体２に装着されるときに、ボス５５と接触する。これにより、ハンドルカバー５１は、感光ドラム１２に対して、第１位置から第２位置へ移動する。また、図１５に示すように、アーム５６の他端５６Ｂは、ドラムカートリッジ３が装置本体２に装着された状態で、現像カートリッジ４が装置本体２に装着されるときに、現像ローラ１４のシャフト１４Ａと接触する。これにより、アーム５６は、装置本体２に対して回転する。すると、ボス５５がアーム５６の一端５６Ａによって押圧されて、ハンドルカバー５１は、感光ドラム１２に対して、第２位置から第３位置へ移動する。
【００８４】
第３実施形態においても、上記した第１実施形態と同様の作用効果を得ることができる。
【００８５】
７．第３実施形態の変形例
以下、図１６から図１８を参照して、第３実施形態の変形例について説明する。第３実施形態の変形例において、第３実施形態と同じ部材には同じ符号を付し、その説明を省略する。
【００８６】
図１６に示すように、アーム６１は、ドラムカートリッジ３に設けられてもよい。この場合、アーム６１は、ドラムカートリッジ３に対して回転可能である。詳しくは、アーム６１は、ドラムフレーム１５に取り付けられる。アーム６１は、ドラムカートリッジ３が装置本体２に取り付けられた状態で、軸線方向において、ドラムフレーム１５と、装置本体２の内面との間に位置する。アーム６１は、軸線方向と交差する方向に延びる。好ましくは、アーム６１は、軸線方向と直交する方向に延びる。アーム６１は、アーム６１が延びる方向において、一端６１Ａと他端６１Ｂとを有する。一端６１Ａは、ハンドルカバー５１に連結される。アーム５６の回転軸線６１Ｃは、アーム６１が延びる方向において、一端６１Ａと他端６１Ｂとの間に位置する。図１７に示すように、ハンドルカバー５１は、現像カートリッジ４が装置本体２から離脱された状態で、ドラムカートリッジ３が装置本体２に装着されるときに、ボス５５が装置本体２内のリブ６２と接触することにより、感光ドラム１２に対して、第１位置から第２位置へ移動する。また、図１８に示すように、アーム６１の他端６１Ｂは、ドラムカートリッジ３が装置本体２に装着された状態で、現像カートリッジ４が装置本体２に装着されるときに、現像ローラ１４のシャフト１４Ａと接触する。これにより、アーム６１は、ドラムカートリッジ３に対して回転する。すると、ハンドルカバー５１は、感光ドラム１２に対して、第２位置から第３位置へ移動する。
【００８７】
第３実施形態の変形例においても、上記した第１実施形態と同様の作用効果を得ることができる。
【符号の説明】
【００８８】
１        画像形成装置
２        装置本体
２Ａ      開口
３        ドラムカートリッジ
４        現像カートリッジ
５        カバー
６        露光装置
６Ａ      出射口
１２      感光ドラム
１４      現像ローラ
１６      第１ハンドル
１７      現像フレーム
１８      第２ハンドル
２１      ドラムガイド
２２      現像ガイド
２３      ハンドルガイド
２３Ａ    第１部分
２３Ｂ    第２部分
３１      ハンドルカバー
３２      第１アーム
３３      第２アーム
４１      ハンドルカバー
４２      アーム
５１      ハンドルカバー
５６      アーム
６１      アーム
Ａ        回転軸線
Ｅ１      第１上流端
Ｅ２      第１下流端
Ｅ１１    第２上流端
Ｅ１２    第２下流端
Ｌ        光
【図１】
2019023707.tif 000003
【図２】
2019023707.tif 000004
【図３】
2019023707.tif 000005
【図４】
2019023707.tif 000006
【図５】
2019023707.tif 000007
【図６】
2019023707.tif 000008
【図７】
2019023707.tif 000009
【図８】
2019023707.tif 000010
【図９】
2019023707.tif 000011
【図１０】
2019023707.tif 000012
【図１１】
2019023707.tif 000013
【図１２】
2019023707.tif 000014
【図１３】
2019023707.tif 000015
【図１４】
2019023707.tif 000016
【図１５】
2019023707.tif 000017
【図１６】
2019023707.tif 000018
【図１７】
2019023707.tif 000019
【図１８】
2019023707.tif 000020